(57)【要約】【課題】外径の小型化が図れる回転式電子部品を提供する。【解決手段】回転式電子部品用操作型物５０の上部を覆うようにこの操作型物５０とは別部品として設置される回転式電子部品用つまみ１１０を、操作型物５０と一体に回転するように取り付けてなる回転式電子部品である。操作型物５０とつまみ１１０のそれぞれの中央に開口５１，１１１を設けることで他の部材挿入用の空間を設け、この空間内に押釦１００とこの押釦１００によって押圧される二重押圧スイッチ機構部３０とを収納する。【選択図】図６
2004047491.tif 000002
【特許請求の範囲】
【請求項１】
　回転式電子部品用操作型物の上部を覆うようにこの操作型物とは別部品として設置される回転式電子部品用つまみを、前記操作型物と一体に回転するように取り付けてなる回転式電子部品であり、
　前記操作型物と前記つまみのそれぞれの中央に開口を設けることで他の部材挿入用の空間を設け、この空間内に押釦とこの押釦によって押圧される押圧スイッチ機構部とを収納したことを特徴とする回転式電子部品。
【請求項２】
　前記押圧スイッチ機構部は、第１スイッチ機構部の上に第２スイッチ機構部を重ね合わせてなる二重押圧スイッチ機構部であることを特徴とする請求項１に記載の回転式電子部品。
【請求項３】
　前記第２スイッチ機構部は、フレキシブル基板からなるスイッチ板によって形成されていることを特徴とする請求項１又は２に記載の回転式電子部品。
【請求項４】
　前記操作型物に固定された摺動子を摺接する摺接パターンと、前記第１スイッチ機構部を構成するスイッチ接点は、前記フレキシブル基板上に形成されていることを特徴とする請求項３に記載の回転式電子部品。
【請求項５】
　前記第２スイッチ機構部を構成するスイッチ板を作動型物上に取り付け、且つこのスイッチ板を取り付けた作動型物を前記第１スイッチ機構部上に設置し、さらに前記第１，第２スイッチ機構部にはそれぞれクリック板を取り付けたことを特徴とする請求項４に記載の回転式電子部品。
【請求項６】
　前記回転式電子部品は、基板上に取り付けられその内部に前記操作型物を収納したケースを具備し、このケースの上に前記つまみと押釦とを設置すると共にこのつまみを前記ケース内部の操作型物と一体に回転するように取り付けたことを特徴とする請求項１又は２に記載の回転式電子部品。
【発明の詳細な説明】
【技術分野】
【０００１】
　本発明は回転式電子部品に関するものである。
【背景技術】
【０００２】
　従来電子機器、例えばビデオカメラなどの携帯機器には、円板状の回転式スイッチ用のつまみの中央に押釦スイッチ用のキートップを取り付けた構造の回転式電子部品が利用されている。
【０００３】
　しかしながらこの種の回転式電子部品にあっては、その外径の小型化が図れないという問題点があった。
【発明の開示】
【発明が解決しようとする課題】
【０００４】
　本発明は上述の点に鑑みてなされたものでありその目的は、外径の小型化が図れる回転式電子部品を提供することにある。
【課題を解決するための手段】
【０００５】
　本願の請求項１に記載の発明は、回転式電子部品用操作型物の上部を覆うようにこの操作型物とは別部品として設置される回転式電子部品用つまみを、前記操作型物と一体に回転するように取り付けてなる回転式電子部品であり、前記操作型物と前記つまみのそれぞれの中央に開口を設けることで他の部材挿入用の空間を設け、この空間内に押釦とこの押釦によって押圧される押圧スイッチ機構部とを収納したことを特徴とする回転式電子部品にある。
【０００６】
　本願の請求項２に記載の発明は、前記押圧スイッチ機構部は、第１スイッチ機構部の上に第２スイッチ機構部を重ね合わせてなる二重押圧スイッチ機構部であることを特徴とする請求項１に記載の回転式電子部品にある。
【０００７】
　本願の請求項３に記載の発明は、前記第２スイッチ機構部は、フレキシブル基板からなるスイッチ板によって形成されていることを特徴とする請求項１又は２に記載の回転式電子部品にある。
【０００８】
　本願の請求項４に記載の発明は、前記操作型物に固定された摺動子を摺接する摺接パターンと、前記第１スイッチ機構部を構成するスイッチ接点は、前記フレキシブル基板上に形成されていることを特徴とする請求項３に記載の回転式電子部品にある。
【０００９】
　本願の請求項５に記載の発明は、前記第２スイッチ機構部を構成するスイッチ板を作動型物上に取り付け、且つこのスイッチ板を取り付けた作動型物を前記第１スイッチ機構部上に設置し、さらに前記第１，第２スイッチ機構部にはそれぞれクリック板を取り付けたことを特徴とする請求項４に記載の回転式電子部品にある。
【００１０】
　本願の請求項６に記載の発明は、前記回転式電子部品は、基板上に取り付けられその内部に前記操作型物を収納したケースを具備し、このケースの上に前記つまみと押釦とを設置すると共にこのつまみを前記ケース内部の操作型物と一体に回転するように取り付けたことを特徴とする請求項１又は２に記載の回転式電子部品にある。
【発明の効果】
【００１１】
　操作型物と操作型物の上部を覆うように操作型物とは別部品として設置されるつまみのそれぞれの中央に開口を設けることで他の部材挿入用の空間を設けたので、この空間内に押釦とこの押釦によって押圧される押圧スイッチ機構部とを収納することができ、さらに構造が簡素化され、製造が容易になる。
【発明を実施するための最良の形態】
【００１２】
　以下、本発明の実施形態を図面に基づいて詳細に説明する。
　図１，図２はこの実施形態にかかる回転式電子部品の分解斜視図であり、両図を合わせて１つの回転式電子部品を示すものである。両図に示すようにこの回転式電子部品は、基台１０上に、フレキシブル基板２０と、操作型物５０と、クリック用板バネ６５と、クリック板７５と、ケース８０と、押釦１００と、つまみ１１０とを具備して構成されている。以下各構成部品について説明する。
【００１３】
　基台１０は合成樹脂成形板であり、その中央付近に４つの貫通する係止孔１１を設けて構成されている。
【００１４】
　フレキシブル基板２０は略半円板状であって、その所定位置に円弧状の所望の摺接パターン２１，２３を印刷形成し、フレキシブル基板２０の中央部に二重押圧スイッチ機構部３０を載置し、またその所定位置から帯状の引き出し部４９を引き出して構成されている。
【００１５】
　ここで図３はフレキシブル基板２０を展開した状態を示す斜視図である。同図及び図２に示すように二重押圧スイッチ機構部３０を載置しようとする部分の周囲には、４つの係止用孔２５が設けられており、また展開した二重押圧スイッチ機構部３０は、第１スイッチ機構部３１を構成する第１基板部３３及び第２基板部３５と第２スイッチ機構部４１とを、それぞれ連結部ａ，ｂ，ｃによって連結して構成されている。
【００１６】
　そして第１基板部３３と第２基板部３５の表面中央には、スイッチ接点３４，３６が印刷形成されており、第１基板部３３の反対側の面にはクリック板３７が貼り付けられている。
【００１７】
　一方第２スイッチ機構部４１は前記連結部ｃの先に同図には図示しない２枚の基板を重ね合わせその上にクリック板４７を取りつけて形成されるスイッチ板をモールド樹脂製の略円板形の作動型物４３の下に取り付けて構成されている(図６参照)。作動型物４３はその中央から押圧部４５を突出している。
【００１８】
　なお図示はしないが引き出し部４９には前記摺接パターン２１，２３と二重押圧スイッチ機構部３０からの回路パターンが引き出されている。
【００１９】
　そして二重押圧スイッチ機構部３０は、図３において第２基板部３５を第１基板部３３の上に折り返して(矢印Ａ)第１スイッチ機構部３１を形成し(なお実際には両スイッチ接点３４，３６の周囲にスペーサ層が印刷されており、重ね合わせたときに両スイッチ接点３４，３６は微少の隙間を介して対向する)、次に組み立ててある第２スイッチ機構部４１を第１基板部３３の裏面側に折り返す(矢印Ｂ)ことで押圧部４５をクリック板３７の中央に当接し、さらに連結部ａを折り曲げることで図２に示すように二重押圧スイッチ機構部３０をフレキシブル基板２０の中央に載置している。なお第１，第２基板部３３，３５の外周には４つずつの切り欠き３８が設けられており、これらは前記係止用孔２５の上に位置する。
【００２０】
　操作型物５０は図２に示すように略リング状に形成された合成樹脂成形板であり、その中央に円形の開口５１が設けられ、またその上面からは４本の突起状の固定部５３が突出している。またその外周からは６つの突起状の係止部５５が突出している。なお開口５１の周囲には、摺動型物５０の上下面から上下方向に向かって略円筒状に突出する支持部５７が設けられている。また操作型物５０の下面には、金属板製の摺動子６１が固定される。
【００２１】
　次にクリック用板バネ６５は、リング状に形成した弾性金属板の一部の円弧部分(アーム部６７)を上方向に折り曲げてその中央に凸状のクリック部６９を設け、またその４箇所に前記固定部５３を挿入する小穴からなる挿入部７１を設けて構成されている。
【００２２】
　次にクリック板７５は図１に示すように、金属板をリング状に形成することで中央に開口７６を設け、またその面に４つの開口からなるクリック係合部７７を設け、さらにその所定位置に２本の舌片状の係止部７９，７９を設けて上方向に折り曲げて構成されている。
【００２３】
　図４はケース８０を裏面側から見た斜視図である。同図及び図１に示すようにケース８０は、合成樹脂を略円板状に成形して構成されており、その中央には下記する押釦１００の押圧部１０１を挿通する挿通孔８１が設けられ、またその外周近傍の２箇所には前記係止部７９を挿入する係止部８３，８３が設けられている。またその下面からは筒状に仕切り部材８５が突出している。仕切り部材８５中には切り欠き８７，８７が設けられ、また仕切り部材８５の下辺からは４本の係止片９１が突出している。またケース８０の外周には切り欠き部９３を設けることで切り欠いた両端面を当接面９５，９５としている。
【００２４】
　押釦１００は図１に示すように、合成樹脂を略円板状に成形し、その中央下面から柱状の押圧部１０１を突出し、またその外周から舌片状の係止部１０３を複数個(４個)突出して構成されている。
【００２５】
　図５はつまみ１１０を裏面側から見た斜視図である。同図及び図１に示すようにつまみ１１０は合成樹脂を円板状に成形し、その中央には前記押釦１００を露出する開口１１１を設け、またその外周は下方向に折り曲げられてリング状の側壁部１１３が形成されて構成されている。また側壁部１１３の下端辺内側部分には、前記操作型物５０の係止部５５(図２参照)に係合する係止部１１５が６箇所に設けられ、また開口１１１の下面側の周囲には前記押釦１００の係止部１０３を挿入する挿入部１１７が４箇所設けられている。さらにつまみ１１０の下面の所定位置にはストッパー部１１９が設けられている。
【００２６】
　次にこの回転式電子部品を組み立てるには、まず操作型物５０上にクリック用板バネ６５を載置してその際各固定部５３を挿入部７１に挿入してその先端を熱カシメして固定する。また操作型物５０の下面には摺動子６１を固定しておく。
【００２７】
　一方ケース８０の下面にはクリック板７５を取り付けておく。その際仕切り部材８５を開口７６に挿入し、２本の係止部７９を係止部８３，８３に挿入してその先端をケース８０の上面側で折り曲げることで固定する。
【００２８】
　そしてつまみ１１０の開口１１１に押釦１００を収納し、その際押釦１００の各係止部１０３を挿入部１１７に挿入してガイドせしめ、次にその下側にクリック板７５を取り付けたケース８０を取り付け、その際押釦１００の押圧部１０１を挿通孔８１に挿通する。
【００２９】
　次に摺動子６１とクリック用板バネ６５とを取り付けた操作型物５０を取り付ける。その際ケース８０の仕切り部材８５を、操作型物５０の開口５１内に挿入し、操作型物５０を仕切り部材８５の外周で回動自在に軸支する。同時につまみ１１０外周の各係止部１１５(図５参照)を操作型物５０の各係止部５５に係合して両者を一体に固定する。
【００３０】
　そしてその下にフレキシブル基板２０と基台１０とを取り付け、フレキシブル基板２０に設けた各係止用孔２５と基台１０に設けた係止孔１１とに、ケース８０に設けた係止片９１を貫通し、その先端を基台１０の下面で熱カシメして固定する。
【００３１】
　図６は以上のようにして組み立てられた回転式電子部品の概略側断面図である。同図は説明の都合上、各部の切断面が異なっている。
【００３２】
　同図に示すように操作型物５０とつまみ１１０とは、両者の外周に設けた係止部１１５，５５を係合・一体化することで、一体に回転するように構成されている。
【００３３】
　また操作型物５０とつまみ１１０のそれぞれの中央にはそれぞれ開口５１，１１１が設けられ、これら開口５１，１１１の内部に押釦１００と二重押圧スイッチ機構部３０からなるスイッチ機構が収納されている。
【００３４】
　つまりこの回転式電子部品は、フレキシブル基板２０上に操作型物５０を回動自在に配置し、さらに操作型物５０の上部に操作型物５０の外周を覆うとともに操作型物５０と一体に回転するつまみ１１０を両者の外周で係合することで取り付け、操作型物５０とつまみ１１０のそれぞれの中央に設けた開口５１，１１１内にスイッチ機構(他の部材)を収納し、操作型物５０の開口５１とその内側のスイッチ機構を収納する空間の間を仕切る仕切り部材８５によって操作型物５０を回動自在に軸支するように構成されている。
【００３５】
　そしてつまみ１１０を回動すれば、これと一体に操作型物５０及び摺動子６１が回動してフレキシブル基板２０上の摺接パターン２１，２３から所望の電気的出力(この実施形態の場合はオンオフ信号であるが、抵抗値変化などの出力が得られるようにしてもよい)が出力される。つまみ１１０を回動するときは、クリック用板バネ６５のクリック部６９がクリック板７５のクリック係合部７７に係合離脱することでクリック感触が得られる。なおつまみ１１０の回動は、つまみ１１０の下面に設けたストッパー部１１９がケース８０に設けた当接面９５，９５に当接することでその回転が規制される。
【００３６】
　一方押釦１００を押圧すると、まず上側のクリック板４７が反転して上側のスイッチがオンし、さらに押釦１００を押し込むと作動型物４３が下降してその押圧部４５が下側のクリック板３７を押圧してこれを反転し下側のスイッチもオンする。押釦１００の押圧を解除すると下側のスイッチから順にオフされる。
【００３７】
　以上のように本実施形態によれば、つまみ１１０と操作型物５０の結合を両者の外周において行ったので、つまみ１１０の下面側の内部において両者結合のための結合部分を設ける必要がなく、その分その外径の小型化が図れる。特にこの実施形態の場合は、内部に他の部材（スイッチ機構など）挿入用の空間を設ける構造のためにつまみ１１０の下面側の内部において両者結合のための結合部を設けるスペースが制限されているので、効果的である。
【００３８】
　以上本発明の実施形態を詳細に説明したが、本発明は上記実施形態に限定されるものではなく特許請求の範囲に記載された技術的思想の範囲内で種々の変更が可能であることは言うまでもない。即ち各部材の形状・構造は種々の変形が可能である。
【００３９】
　即ち例えば図７は本発明の他の実施形態にかかる回転式電子部品の概略側断面図である。この回転式電子部品は、基板３８０上に取り付けたケース３９５の上に押釦用のキートップ３９０と回転つまみ４００とを取り付けて構成されている。キートップ３９０はその押圧部３９１がケース３９５によって上下動自在に保持されており、また該押圧部３９１は基板３８０の上面に設けたクリック板３８１上に当接している。また回転つまみ４００はケース３９５の内部において操作型物４１０にこれと一体に回転するように取り付けられており、操作型物４１０の下面に取り付けた摺動子４２０が基板３８０上に設けた摺接パターン３８３に当接するように構成されている。そしてキートップ３９０を押圧すればクリック板３８１が反転してその真下に設けた基板３８０上のスイッチがオンし、回転つまみ４００を回転すれば摺動子４２０が摺接パターン３８３上を摺動してその出力を変化する。この回転式電子部品も、回転つまみ４００がその外周側面４０１までこれを回転するのに使用する構造であり、回転つまみ４００がケース３９５の外周を完全に覆うように構成されている。
【００４０】
　ところで中央の空間内に収納するのは上記各実施形態のような押釦スイッチ機構に限定されない。即ち一段式の押釦スイッチ機構や回転式電子部品等、他の種々の部材(電子部品)を収納するように構成してもよい。またフレキシブル基板２０は硬質基板で構成してもよい。
【図面の簡単な説明】
【００４１】
【図１】本発明にかかる回転式電子部品の上側半分の分解斜視図である。
【図２】本発明にかかる回転式電子部品の下側半分の分解斜視図である。
【図３】フレキシブル基板２０を展開した状態を示す斜視図である。
【図４】ケース８０を裏面側から見た斜視図である。
【図５】つまみ１１０を裏面側から見た斜視図である。
【図６】回転式電子部品の概略側断面図である。
【図７】他の回転式電子部品の概略側断面図である。
【符号の説明】
【００４２】
１０　基台
２０　フレキシブル基板
２１，２３　摺接パターン（導電パターン）
３０　二重押圧スイッチ機構部
５０　操作型物
５１　開口
５５　係止部
６５　クリック用板バネ
７５　クリック板
８０　ケース
８５　仕切り部材
１００　押釦
１１０　つまみ
１１１　開口
１１３　側壁部
１１５　係止部
【図１】
2004047491.tif 000003
【図２】
2004047491.tif 000004
【図３】
2004047491.tif 000005
【図４】
2004047491.tif 000006
【図５】
2004047491.tif 000007
【図６】
2004047491.tif 000008
【図７】
2004047491.tif 000009